(57)【要約】【課題】非円形断面形状の塗布体及び該塗布体を先端に固持する固持軸を均一、かつ適切に扱くことができるようにする。【解決手段】塗布容器本体２の開口部４内に有する樹脂製のシゴキ６の孔部７の形状及び先端に非円形断面形状の塗布体１３を具える固持軸１２の断面形状を、該塗布体１２の非円形断面形状と略同一とし、かつキャップ８と固持軸１２との間にＯリング１５を介在させて周面方向に回転可能とすることで、キャップを離脱又は装着を可能とするとともに、かつ非円形断面形状の塗布体及び固持軸を均一、且つ適切に扱くことができる。【選択図】図２
2011010662.tif 000002
【特許請求の範囲】
【請求項１】
マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を楕円形形状、紡錘形形状、角形形状、扇形形状又はこれらの内二つの形状の組み合わせた異形断面形状（以下、「非円形断面形状」という。）とし、
該固持軸の断面形状及びシゴキの孔部形状を、塗布体の断面形状と略同一とし、
該固持軸をシゴキの孔部において該固持軸の円周方向に回転不能に保持し、
該シゴキを塗布容器本体の開口部に対して周面方向に回転不能に保持し、
該キャップと固持軸との間に周面方向に回転可能にする回動手段を介在させる
ことを特徴とする液体化粧料塗布容器。
【請求項２】
マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を非円形断面形状とし、
該固持軸の断面形状及びシゴキの孔部形状を、塗布体の断面形状と略同一とし、
該固持軸をシゴキの孔部において該固持軸の円周方向に回転不能に保持し、
該シゴキと塗布容器本体の開口部との間に周面方向に回転可能にする回動手段を介在させる
ことを特徴とする液体化粧料塗布容器。
【請求項３】
マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を非円形断面形状とし、
該固持軸の断面形状及びシゴキの孔部形状を、塗布体の断面形状と略同一とした上で、
該キャップと固持軸との間に周面方向に回転可能にする回動手段を介在させ、
塗布容器本体の開口部の内周面に固持軸の外周面に当接して周面方向に回転不能に一体とする係止保持部を形成し、
該固持軸の外周面に当接する係止保持部の孔部形状とシゴキの孔部形状との配置を一致させる
ことを特徴とする液体化粧料塗布容器。
【発明の詳細な説明】
【技術分野】
【０００１】
本願発明は、マスカラ等の液体化粧料を貯留する塗布容器本体と、該マスカラ等の液体化粧料を塗布する塗布体を先端に有する軸体を保持するキャップとから構成される液体化粧料塗布容器に関する。
【背景技術】
【０００２】
従来、液体化粧料塗布容器内に具えられるシゴキでは、塗布体を抜出する際に塗布体及び該塗布体を先端に有する軸体の表面に付着した過剰のマスカラ等の液体化粧料を満遍なく扱くことができるように、孔部の形状を塗布体及び該塗布体を先端に有する軸体の断面形状と略同一である円形形状とするものが一般的である。
【０００３】
ところが、近年様々な状態の睫毛に対してマスカラ等の液体化粧料を簡易且つ正確に塗布できるように、上記塗布体の断面形状を単純な円形形状ばかりではなく、楕円形形状、紡錘形形状、角形形状、扇形形状としたり、又はこれらの断面形状を適宜組み合わせた異形断面形状（以下、「非円形断面形状」という。）とするものが提案されている（特許文献１参照）。
【０００４】
ところが、断面形状が上記非円形断面形状である塗布体を従来の円形形状の孔部を有するシゴキにより扱いても、該シゴキは塗布体の表面に対して正確に密着できず、均一かつ適切に塗布体を扱くことができない。その結果、該塗布体に含まれるマスカラ等の液体化粧料は不均一に含まれることとなり、様々な状態の睫毛に対してマスカラ等の液体化粧料を簡易且つ正確に塗布することができないものである。
【先行技術文献】
【特許文献】
【０００５】
【特許文献１】特許第３８６２１６８号公報
【発明の概要】
【発明が解決しようとする課題】
【０００６】
解決しようとする問題点は、様々な状態の睫毛に対して簡易且つ正確にマスカラ等の液体化粧料を塗布できるように断面形状を非円形断面形状とした塗布体の表面に付着した過剰なマスカラ等の液体化粧料を均一に扱くことができないことである。そして、該塗布体に合わせてシゴキの孔部形状を変形させることで、塗布体を先端に固持する軸体の表面をも均一に扱くことができないことである。
【課題を解決するための手段】
【０００７】
本願発明は、その断面形状が非円形断面形状とした塗布体を均一に扱くことができるように、シゴキの孔部において、非円形断面形状とする塗布体及び該塗布体を先端に有する軸体の表面とを正確に密着できるようにすることを特徴とする。
【０００８】
第１の特徴として、マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を楕円形形状、紡錘形形状、角形形状、扇形形状又はこれらの内二つの断面形状の適宜組み合わせた異形断面形状（以下、「非円形断面形状」という。）とし、
該固持軸の断面形状及びシゴキの孔部形状を、塗布体の断面形状と略同一とし、
該固持軸をシゴキの孔部において該固持軸の円周方向に回転不能に保持し、
該シゴキを塗布容器本体の開口部に対して周面方向に回転不能に保持し、
該キャップと固持軸との間に周面方向に回転可能にする回動手段を介在させるものである。
【０００９】
そのため、キャップを塗布容器本体の開口部から離脱させる際には、固持軸及び塗布体の断面形状とシゴキの孔部形状とは略同一であって、かつ該固持軸はシゴキの孔部において該固持軸の円周方向に回転不能に保持されているので、シゴキの孔部周縁は非円形断面形状である固持軸及び塗布体の表面に沿って正確に密着する。その結果、シゴキは固持軸及び塗布体の表面に付着した過剰なマスカラ等の液体化粧料を均一、且つ適切に扱くことができる。従って、塗布体の表面にはマスカラ等の液体化粧料が均一に含まれて、様々な状態に睫毛に対して簡易且つ確実にマスカラ等の液体化粧料を塗布することができるものとなる。
なお、固持軸をその孔部において該固持軸の円周方向に回転不能に保持するシゴキは、固定軸の回転に対して容易に変形しにくい材質が適しており、例えば硬質樹脂やポリエチレン、エラストマー等が適しているものである。
【００１０】
そして、塗布容器本体の開口部からキャップを離脱させるにあたっては、キャップと塗布容器本体の開口部との噛合を解く必要がある。即ち、固持軸の断面形状とシゴキの孔部形状とは略同一であって、かつ該固持軸はシゴキの孔部において該固持軸の円周方向に回転不能に保持されていることから固持軸とシゴキとは一体となる。そして、この一体となった固持軸とシゴキは塗布容器本体の開口部に対して周面方向に回転不能となる。そこで、塗布容器本体の開口部に対して噛合するキャップを開方向へ回転させると、キャップと固持軸との間に介在している回動手段によって、キャップはシゴキを介して塗布容器本体開口部と回転不能である固持軸の根元部に対して周面方向に回転するものとなる。その結果、キャップの開口部の雌ネジ部と塗布容器本体の開口部の雄ネジ部との螺合は解け、キャップを塗布容器本体の開口部から離脱させることができる。
【００１１】
その上、キャップの離脱の際にキャップが塗布容器本体の開口部に沿って上昇すると、固持軸はシゴキの孔部において該固持軸の円周方向に回転不能に保持されているので、該固持軸及び塗布体は、その表面をシゴキの孔部との正確な密着が保たれたまま引き上げられる。従って、シゴキによる固持軸及び塗布体に対する扱きは正確に行われるものとなる。
【００１２】
一方、キャップを塗布容器本体の開口部に装着させるにあたっては、固持軸及び塗布体の断面形状とシゴキの孔部形状とは略同一であって、かつ該固持軸はシゴキの孔部において該固持軸の円周方向に回転不能に保持される。そのため、塗布体を塗布容器本体内に収容すると、シゴキの孔部に合わせて固持軸の表面が正確に密着することになる。さらに、シゴキの孔部と固持軸とは合致して一体となり、この一体となった固持軸とシゴキは塗布容器本体の開口部に対して周面方向に回転不能となる。そこで、塗布容器本体の開口部に対して噛合するキャップを閉方向へ回転させると、キャップと固持軸との間に介在している回動手段によって、キャップはシゴキを介して塗布容器本体開口部と回転不能に一体である固持軸の根元部に対して周面方向に回転する。その結果、キャップの開口部の雌ネジ部と塗布容器本体の開口部の雄ネジ部との螺合が可能となり、キャップを塗布容器本体の開口部に装着させることができる。
【００１３】
第２の特徴として、マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を非円形断面形状とし、
該固持軸の断面形状及びシゴキの孔部形状を、塗布体の断面形状と略同一とし、
該固持軸をシゴキの孔部において該固持軸の円周方向に回転不能に保持し、
該シゴキと塗布容器本体の開口部との間に周面方向に回転可能にする回動手段を介在させるものである。
【００１４】
そのため、上述の第１の特徴を有する本願発明と同様に、キャップを塗布容器本体の開口部から離脱させる際には、固持軸及び塗布体の断面形状とシゴキの孔部形状とは略同一であって、かつ該固持軸はシゴキの孔部において該固持軸の円周方向に回転不能に保持されるので、シゴキの孔部周縁は非円形断面形状である固持軸及び塗布体の表面に沿って正確に密着し、該表面に付着した過剰なマスカラ等の液体化粧料を均一、且つ適切に扱くことができる。従って、塗布体の表面にはマスカラ等の液体化粧料が均一に含まれるので、様々な状態に睫毛に対して簡易且つ確実にマスカラ等の液体化粧料を塗布することができるものとなる。
なお、固持軸をその孔部において該固持軸の円周方向に回転不能に保持するシゴキは、固定軸の回転に対して容易に変形しにくい材質が適しており、例えば硬質樹脂やポリエチレン、エラストマー等が適しているものである。
【００１５】
そして、塗布容器本体の開口部からキャップを離脱させるにあたっては、キャップと塗布容器本体の開口部との噛合を解く必要がある。即ち、固持軸の断面形状とシゴキの孔部形状とは略同一であって、かつシゴキの孔部において該固持軸の円周方向に回転不能に保持されていることから固持軸とシゴキとは一体となる。さらに、この一体となった固持軸とシゴキとは、該固持軸の根元部がキャップ内に挿嵌保持されているのでキャップに対して周面方向に回転不能である。そこで、塗布容器本体の開口部に対して噛合するキャップを開方向へ回転させると、塗布容器本体の開口部とシゴキとの間に介在している回動手段によって、キャップはその内部に挿嵌保持する固持軸とともに回転するものとなる。その結果、キャップの開口部の雌ネジ部と塗布容器本体の開口部の雄ネジ部との螺合は解け、キャップを塗布容器本体の開口部から離脱させることができる。
【００１６】
その上、キャップの離脱の際にキャップが塗布容器本体の開口部に沿って上昇すると、該固持軸はシゴキの孔部において該固持軸の円周方向に回転不能に保持され、かつシゴキは塗布容器本体の開口部に対して回動可能であるので、キャップの回転に合わせて、固持軸は回転するとともに、シゴキも同時に回転するので、該固持軸及び塗布体は、その表面とシゴキの孔部との正確な密着が保たれたまま引き上げられる。従って、シゴキによるマスカラ等の液体化粧料の扱きは正確に行われるものとなる。
【００１７】
一方、キャップを塗布容器本体の開口部に装着させるにあたっては、固持軸及び塗布体の断面形状とシゴキの孔部形状とは略同一であって、かつ該固持軸はシゴキの孔部において該固持軸の円周方向に回転不能に保持される。そのため、塗布体を塗布容器本体内に収容することで、シゴキの孔部に合わせて固持軸の表面が正確に密着することになる。さらに、シゴキの孔部と固持軸とは合致して一体となり、この一体となった固持軸とシゴキはキャップに対して周面方向に回転不能である。そこで、塗布容器本体の開口部に対して噛合するキャップを閉方向へ回転させると、塗布容器本体の開口部とシゴキとの間に介在している回動手段によって、シゴキは固持軸を介して塗布容器本体の開口部に対して周面方向に回転する。その結果、キャップの開口部の雌ネジ部と塗布容器本体の開口部の雄ネジ部との螺合が可能となり、キャップを塗布容器本体の開口部に装着させることができる。
【００１８】
第３の特徴として、マスカラ等の液体化粧料を貯留し、外周面に雄ネジ部を螺設するとともに、その内部では孔部において塗布体及び該塗布体を先端に固持する固持軸の表面に密着自在となるシゴキを有する開口部を設けてなる塗布容器本体と、その開口部の内周面に雌ネジ部を螺設し、固持軸の先端に塗布体を有する固持軸の根元部を挿嵌保持してなるキャップとから構成され、
該塗布体は、その断面形状を非円形断面形状とし、
該固持軸の断面形状及びシゴキの孔部形状を、塗布体の断面形状と略同一とした上で、
該キャップと固持軸との間に周面方向に回転可能にする回動手段を介在させ、
塗布容器本体の開口部の内周面に固持軸の外周面に当接して周面方向に回転不能に一体とする係止保持部を形成し、
該固持軸の外周面に当接する係止保持部の孔部形状とシゴキの孔部形状との配置を一致させるものである。
【００１９】
そのため、上述の第１の特徴及び第２の特徴を有する本願発明と同様に、キャップを塗布容器本体の開口部から離脱させる際には、固持軸及び塗布体の断面形状とシゴキの孔部形状とは略同一であって、かつ固持軸の外周面に当接する係止保持部の孔部形状とシゴキの孔部形状との配置を一致させるので、シゴキの孔部周縁は非円形断面形状である固持軸及び塗布体の表面に沿って正確に密着し、該表面に付着した過剰なマスカラ等の液体化粧料を均一、かつ適切に扱くことができる。従って、塗布体の表面にはマスカラ等の液体化粧料を均一に含まれるので、様々な状態に睫毛に対して簡易且つ確実にマスカラ等の液体化粧料を塗布することができるものとなる。
なお、固持軸は係止保持部により塗布容器本体の開口部に対して回転不能に保持されているので、固持軸及び塗布体の表面に密着する材質が適しており、例えばゴム等が適しているものである。
【００２０】
そして、塗布容器本体の開口部からキャップを離脱させるにあたっては、キャップと塗布容器本体の開口部との噛合を解く必要がある。即ち、固持軸の断面形状とシゴキの孔部形状とは略同一であっても、シゴキは弾性材であるので固持軸はシゴキに対して周面方向に回転可能である。ところが、塗布容器本体の開口部の内周面に形成される係止保持部により、固持軸と塗布容器本体の開口部とは周面方向に回転不能に一体となる。そこで、塗布容器本体の開口部に対して噛合するキャップを開方向へ回転させると、該キャップと固持軸との間に介在している回動手段によって、キャップは固持軸の根元部に対して回転するものとなる。その結果、キャップの開口部の雌ネジ部と塗布容器本体の開口部の雄ネジ部との螺合は解け、キャップを塗布容器本体の開口部から離脱させることができる。
【００２１】
その上、上述の第１の特徴及び第２の特徴を有する本願発明と同様に、キャップの離脱の際にキャップが塗布容器本体の開口部に沿って上昇すると、固持軸は塗布容器本体の開口部に対して係止保持部により回転不能であって、かつ固持軸の外周面に当接する係止保持部の孔部形状とシゴキの孔部形状との配置を一致させているので、該固持軸及び塗布体は、その表面とシゴキの孔部との正確な密着が保たれたまま引き上げられる。従って、シゴキによるマスカラ等の液体化粧料の扱きは正確に行われるものとなる。
【００２２】
一方、キャップを塗布容器本体の開口部に装着させるにあたっては、固持軸及び塗布体の断面形状とシゴキの孔部形状とは略同一であって、かつ固持軸の外周面に当接する係止保持部の孔部形状とシゴキの孔部形状との配置を一致させているため、塗布体を塗布容器本体内に収容すると、シゴキの孔部は固持軸及び塗布体の表面に沿ってより正確に密着することになる。さらに、塗布容器本体の開口部の内周面に形成する係止保持部によって固持軸と塗布容器本体の開口部とは一体となり、固持軸は塗布容器本体の開口部に対して周面方向に回転不能となる。そこで、塗布容器本体の開口部に対して噛合するキャップを閉方向へ回転させると、キャップと固持軸の根元部との間に介在している回動手段によって、キャップは固持軸に対して周面方向に回転する。その結果、キャップの開口部の雌ネジ部と塗布容器本体の開口部の雄ネジ部との螺合が可能となり、キャップを塗布容器本体の開口部に装着させることができる。
【００２３】
なお、本願発明においては、固持軸の先端に固持される塗布体はその断面形状が非円形断面形状とするものであればよく、そのため、例えば円柱状の繊維束からなる塗布体を切削して、その断面形状が非円形断面形状としてなるものの他、断面形状が非円形断面形状となるように、円柱状の繊維束からなる塗布体を折曲してなるものや複数の繊維束を組み合わせてなるもの、又は断面形状が非円形形状である固持軸の先端に一体に塗布体である櫛歯を形成するものであっても良い（図６及び図７参照）。
【発明の効果】
【００２４】
本願発明の液体化粧料塗布容器において、塗布容器本体内に内装されるシゴキは、その断面形状を非円形断面形状とする塗布体のみならず該塗布体を先端に固持する固持軸の表面に正確に密着して、それら表面に付着する過剰のマスカラ等の液体化粧料を均一、且つ適切に扱くことができる。そのため、塗布体にマスカラ等の液体化粧料が均一に含ませられ、しかも液だれによる汚損をも防止できるので、様々な状態の睫毛に対してマスカラ等の液体化粧料を簡易且つ正確に塗布することができる優れた効果を有する。
【図面の簡単な説明】
【００２５】
【図１】本願発明の実施例１である液体化粧料塗布容器の分解正面図である。
【図２】（イ）本願発明の実施例１である液体化粧料塗布容器の正面方向の断面図、（ロ）本願発明の実施例１である液体化粧料塗布容器の側面方向の断面図である。
【図３】本願発明の実施例１である液体化粧料塗布容器の塗布容器本体の平面図、（ロ）本願発明の実施例１である液体化粧料塗布容器の液体化粧料塗布体における固持軸と該固持軸の先端に固持される塗布体の断面図の組み合わせを示した図である。
【図４】本願発明の実施例１である液体化粧料塗布容器における塗布体の変形例を具えるものの分解正面図であり、（イ）該塗布体が複数の塗布体からなるもの（ロ）該塗布体が一本の繊維束を折曲してなるものである。
【図５】（イ）図４の液体化粧料塗布容器における塗布体の変形例を具えるものを構成する塗布容器本体の平面図、（ロ）図４の液体化粧料塗布容器における塗布体の変形例を具えるものの固持軸の断面形状とそれに対応する塗布体の断面形状を示す図である。
【図６】本願発明の実施例１である液体化粧料塗布容器における塗布体の変形例を具えるものの分解正面図である。
【図７】（イ）図６の液体化粧料塗布容器の塗布容器本体の平面図、（ロ）図６の液体化粧料塗布容器の液体化粧料塗布体における固持軸と該固持軸の先端に固持される塗布体の断面図の組み合わせを示した図である。
【図８】本願発明の実施例１である液体化粧料塗布容器においてシゴキの変形例を具えるものの正面方向の断面図である。
【図９】（イ）本願発明の実施例２である液体化粧料塗布容器の正面方向の断面図、（ロ）本願発明の実施例２である液体化粧料塗布容器の側面方向の断面図である。
【図１０】（イ）本願発明の実施例３である液体化粧料塗布容器の正面方向の断面図、（ロ）本願発明の実施例３である液体化粧料塗布容器を構成する塗布容器本体の平面図である。
【図１１】（イ）本願発明の実施例３である塗布容器本体の側面方向の断面図、（ロ）本願発明の実施例３である液体化粧料塗布容器を構成する塗布容器本体の平面図である。
【発明を実施するための形態】
【００２６】
断面形状が非円形形状である塗布体及び該塗布体を先端に固持する固持軸を均一、且つ適切に扱いて様々な状態に睫毛に対して簡易且つ正確にマスカラ等の液体化粧料を塗布するという目的を、最小限の部品の加工で実現した。
【実施例１】
【００２７】
図１において示すものは、本願発明の実施例１である液体化粧料塗布容器であって、該液体化粧料塗布容器１は、マスカラ等の液体化粧料３を貯留し、外周面に雄ネジ部５を螺設するとともに、その内部では孔部７において後述する塗布体１３及び該塗布体１３を先端に固持する固持軸１２の表面に密着自在となる硬質樹脂製のシゴキ６を有する別体の開口部４を固持してなる塗布容器本体２と、その開口部４において内周面に雌ネジ部１１を螺設するネジ体１０を周面方向に回転不能となるように一体に挿嵌し、先端に別体の塗布体１３を有するとともに、気密性を維持するパッキン１４を装着した固持軸１２の根元部１２ａを挿嵌保持してなるキャップ８とから構成されるものである。
【００２８】
ここで、前記シゴキ６は、固持軸１２をシゴキ６の孔部７において該固持軸１２の円周方向に回転不能に保持するとともに、塗布容器本体２の開口部４に対して周面方向に回転不能に保持されるものである。また、本実施例のシゴキ６は塗布容器本体２に固持される別体の開口部４において一体に成形されるものであるが、開口部４’を一体に形成した塗布容器本体２’において別体のシゴキ６ａを内装するものであっても良い（図８参照）。
【００２９】
そして、上記キャップ８内にその根元部１２ａをネジ体１０を介して挿嵌保持される固持軸１２の先端に固持される塗布体１３は、その断面形状を非円形形状の一例である楕円形形状とするものである。
また、該固持軸１２の断面形状及びシゴキ６の孔部７の形状も、該塗布体１３の断面形状と略同一である楕円形形状とするものである（図３参照）。
【００３０】
ここで、該キャップ８内に一体に挿嵌されるネジ体１０と固持軸１２の根元部１２ａとの間には、周面方向に回転可能となるように介在させる回動手段としての弾性体であるＯリング１５を介在させてなるものである。即ち、該Ｏリング１５は、固持軸１２の根元部１２ａの側面全周に渡り溝設される嵌合溝１２ｂに対して嵌着されている。そのため、キャップ８内に一体に挿嵌されるネジ体１０と固持軸１２の根元部１２ａとの間に介在されるＯリング１５により、キャップ８にかかる負荷が該Ｏリング１５の発揮する摩擦力の範囲内では両者は一体となり、それ以上となるとキャップ８はネジ体１０とともに固持軸１２の根元部１２ａに対して周面方向に回転可能となるものである。従って、マスカラ等の液体化粧料３を塗布するにあたっては、キャップ８内のネジ体１０と固持軸１２の根元部１２ａとの間でＯリング１５が摩擦力を発揮しているので、キャップ８内に挿嵌保持される固持軸１２は回転不能であって、該固持軸１２の先端に固持される塗布体１３は不用意に回転することがなくなる。そのため、使用者の意図する塗布体１３の部位を使って睫毛に対してマスカラ等の液体化粧料３を簡易且つ正確に塗布することができるものである。
【００３１】
なお、本願発明の実施例１乃至３においては塗布体１３の断面形状及び該塗布体１３を先端に固持する固持軸１２の断面形状の組み合わせとしては楕円形形状としているが、その他にも長円形状、四角形形状及び三角形形状とするものであってもよく〔図３（ロ）参照〕、また複数の塗布体１３ａ’を組み合わせる塗布体１３ａや一本の繊維束を折曲して形成する塗布体１３ｂ〔図４、図５参照〕、また固持軸１２’の先端において櫛歯の塗布体１３ｃを一体に成形するものであっても良いものである〔図６、図７参照〕。
【００３２】
本願発明の実施例１である液体化粧料塗布容器１は以上の構成を具えるので、マスカラ等の液体化粧料３を塗布するためキャップ８を離脱させると、該キャップ８内に挿嵌保持される固持軸１２及び塗布体１３は、固持軸１２及び塗布体１３の断面形状である楕円形形状と略同一であって、固持軸１２はシゴキ６の孔部７において該固持軸１２の円周方向に回転不能に保持されたままでシゴキ６の孔部７を通過する。そのとき、シゴキ６の孔部７は楕円形形状である固持軸１２及び塗布体１３の表面に沿って正確に密着するものである。その結果、固持軸１２及び塗布体１３の表面に付着した過剰なマスカラ等の液体化粧料３は均一、かつ適切に扱かれる。従って、塗布体１３の表面にはマスカラ等の液体化粧料３が均一に含まれるので、様々な状態の睫毛に対して簡易且つ確実にマスカラ等の液体化粧料３を塗布することができるものとなる。
【００３３】
そして、塗布容器本体２の開口部４からキャップ８を離脱させる際には、次のようになるものである。即ち、シゴキ６の孔部７を通して塗布容器本体２内に収容される塗布体１３を固持する固持軸１２の断面形状とシゴキ６の孔部７の形状とは略同一であって、かつ硬質樹脂製のシゴキ６は固持軸１２を該固持軸１２の円周方向に回転不能に保持するので、固持軸１２とシゴキ６とは塗布容器本体２の開口部４に対して周面方向に回転不能に一体となる。そこで、塗布容器本体２の開口部４に対して噛合するキャップ８を開方向へ回転させ、キャップ８内に一体に挿嵌されるネジ体１０と固持軸１２との間に介在するＯリング１５の摩擦力以上の負荷がかかると、シゴキ６を介して塗布容器本体２の開口部４と回転不能に一体となる固持軸１２の根元部１２ａに対してキャップ８は周面方向に回転するものである。その結果、キャップ８の開口部９の雌ネジ部１１と塗布容器本体２の開口部４の雄ネジ部５との螺合は解け、キャップ８を塗布容器本体２の開口部４から離脱させることができる。
【００３４】
その上、上記キャップ８の塗布容器本体２の開口部４から離脱の際にキャップ８が塗布容器本体２の開口部４に沿って上昇すると、シゴキ６と一体となる固持軸１２は塗布容器本体２の開口部４に対して回転不能であるので、該固持軸１２及び塗布体１３はその表面とシゴキ６の孔部７との正確な密着が保たれたまま引き上げられる。従って、シゴキ６によるマスカラ等の液体化粧料３の扱きは正確に行われるものとなる。
【００３５】
一方、キャップ８を塗布容器本体２の開口部４に装着する際には、次のようになるものである。即ち、塗布体１３を塗布容器本体２内に収容すると、固持軸１２及び塗布体１３の断面形状とシゴキ６の孔部７の形状とは楕円形形状と略同一であって、シゴキ６は固持軸１２を円周方向に回転不能に保持しているので、シゴキ６の孔部７は固持軸１２及び塗布体１３の表面に沿って正確に密着する。そして、樹脂製のシゴキ６の孔部７と固持軸１２とは合致して塗布容器本体２の開口部４に対して周面方向に回転不能に一体となる。そこで、塗布容器本体２の開口部４に対して噛合するキャップ８を閉方向へ回転させ、キャップ８内のネジ体１０と固持軸１２の根元部１２ａとの間に介在しているＯリング１５の摩擦力以上の負荷がかかると、キャップ８はシゴキ６を介して塗布容器本体２の開口部４と回転不能に一体となる固持軸１２の根元部１２ａに対して周面方向に回転するものとなる。その結果、キャップ８の開口部９の雌ネジ部１１と塗布容器本体２の開口部４の雄ネジ部５との螺合が可能となり、キャップ８を塗布容器本体２の開口部４に装着させることができる。
【実施例２】
【００３６】
図９において示すものは、本願発明の実施例２である液体化粧料塗布容器１’であり、該液体化粧料塗布容器１’は、上記本願発明の実施例１である液体化粧料塗布容器と同様の構成を有するものである。しかしながら、本願発明の実施例２である液体化粧料塗布容器１’は、本願発明の実施例１である液体化粧料塗布容器１と以下の点で構成が相違する。
【００３７】
即ち、液体化粧料塗布容器１’を構成する塗布容器本体２に固持される別体の開口部４において有するシゴキ６’は別体であり、且つ塗布容器本体２の開口部４に対して周面方向に回転可能となるように内装されている。さらに、キャップ８内に挿嵌されるネジ体１０内には先端に塗布体１３を固持する固持軸１２の根元部１２ａが周面方向に回転不能に挿嵌固持されている。
【００３８】
本願発明の実施例２である液体化粧料塗布容器は以上の構成を具えるので、マスカラ等の液体化粧料３を塗布するためキャップ８を離脱させると、固持軸１２及び塗布体１３は、該固持軸１２及び塗布体１３の断面形状である楕円形形状と略同一であって、固持軸１２はシゴキ６’の孔部７’において該固持軸１２の円周方向に回転不能に保持されたままでシゴキ６’の孔部７’を通過する。そのとき、シゴキ６’の孔部７’は楕円形形状である固持軸１２及び塗布体１３の表面に沿って正確に密着するものである。その結果、固持軸１２及び塗布体１３の表面に付着した過剰なマスカラ等の液体化粧料３は均一、かつ適切に扱かれる。従って、塗布体１３の表面にはマスカラ等の液体化粧料３が均一に含まれるので、様々な状態の睫毛に対して簡易且つ確実にマスカラ等の液体化粧料３を塗布することができるものである。
【００３９】
そして、塗布容器本体２の開口部４からキャップ８を離脱させる際には、次のようになるものである。即ち、シゴキ６’の孔部７’を通して塗布容器本体２内に収容される塗布体１３を固持する固持軸１２の断面形状とシゴキ６’の孔部７’の形状とは略同一であって、かつ硬質樹脂製のシゴキ６’が固持軸１２を円周方向に移転不能に保持するので、固持軸１２とシゴキ６’とは一体となる。その上、この一体となった固持軸１２とシゴキ６’とは、該固持軸１２の根元部１２ａがキャップ８内にネジ体１０を介して周面方向に回転不能に挿嵌保持されているので、キャップ８に対して周面方向に回転不能である。そこで、塗布容器本体２の開口部４に対して噛合するキャップ８を開方向へ回転させると、塗布容器本体２の開口部４に対してシゴキ６’は回転可能であるので、キャップ８はその内部に挿嵌保持する固持軸１２と一体となるシゴキ６’とともに回転するものである。その結果、キャップ８の開口部９の雌ネジ部１１と塗布容器本体２の開口部４の雄ネジ部５との螺合は解け、キャップ８を塗布容器本体２の開口部４から離脱させることができる。
【００４０】
その上、上記キャップ８の塗布容器本体２の開口部４から離脱の際に、キャップ８が塗布容器本体２の開口部４に沿って上昇すると、シゴキ６’は固持軸１２を該固持軸１２を回転不能に保持するとともに、塗布容器本体２の開口部４に対して回動可能であるので、キャップ８の回転に合わせて、該キャップ８と回転不能となる固持軸１２、及びシゴキ６’も同時に回転することとなるので、該固持軸１２及び塗布体１３は、その表面をシゴキ６’の孔部７’との正確な密着が保たれたまま引き上げられる。従って、シゴキ６’によるマスカラ等の液体化粧料３の扱きは正確に行われるものとなる。
【００４１】
一方、キャップ８を塗布容器本体２の開口部４に装着する際には、次のようになるものである。即ち、塗布体１３を塗布容器本体２内に収容すると、固持軸１２及び塗布体１３の断面形状とシゴキ６’の孔部７’の形状とは楕円形形状と略同一であって、シゴキ６’は固持軸１２を円周方向に回転不能に保持しているので、シゴキ６’の孔部７’は固持軸１２及び塗布体１３の表面に沿って正確に密着する。しかしながら、固持軸１２と一体となったシゴキ６’は塗布容器本体２の開口部４に対して周面方向に回転可能である。そこで、塗布容器本体２の開口部４に対して噛合するキャップ８を閉方向へ回転させると、シゴキ６’と一体になる固持軸１２はキャップ８に対して周面方向に回転不能であるので、シゴキ６’と一体となった固持軸１２とともにキャップ８は塗布容器本体２に固持された開口部４に対して回転するものである。その結果、キャップ８の開口部９の雌ネジ部１１と塗布容器本体２の開口部４の雄ネジ部５との螺合が可能となり、キャップ８を塗布容器本体２の開口部４に装着させることができる。
【実施例３】
【００４２】
図１０及び図１１において示すものは、本願発明の実施例３である液体化粧料塗布容器１”であって、該液体化粧料塗布容器１”は、上記本願発明の実施例１である液体化粧料塗布容器１と同様の構成を有するものである。しかしながら、本願発明の実施例３である液体化粧料塗布容器１”は本願発明の実施例１である液体化粧料塗布容器１と以下の点でその構成が相違する。
【００４３】
即ち、塗布容器本体２に固持される別体の開口部４において有するシゴキ６”は別体であり、且つゴムにより形成されている。さらに、塗布容器本体２の開口部４の内周面において、固持軸１２の外周面に当接して周面方向に回転不能に一体となる係止保持部１６を形成するものである。
ここで、該係止保持部１６は、先端がシゴキ方向に向かって内径方向へ突出するように斜面１６ｂが形成される三角板体１６ａを複数周設して構成されている。
【００４４】
本願発明の実施例３である液体化粧料塗布容器は以上の構成を具えるので、マスカラ等の液体化粧料３を塗布するためキャップ８を離脱させると、該キャップ８内に挿嵌保持される固持軸１２及び塗布体１３は、該固持軸１２及び塗布体１２の断面形状である楕円形形状と略同一であるシゴキ６”の孔部７”を通過する。そのとき、固持軸１２の外周面に当接する係止保持部１６の孔部形状とシゴキ６”の孔部形状との配置を一致させているので、シゴキ６”の孔部７”は楕円形形状である固持軸１２及び塗布体１３の表面に沿って正確に密着するものである。その結果、固持軸１２及び塗布体１３の表面に付着した過剰なマスカラ等の液体化粧料３は均一、かつ適切に扱かれる。従って、塗布体１３の表面にはマスカラ等の液体化粧料３が均一に含まれるので、様々な状態の睫毛に対して簡易且つ確実にマスカラ等の液体化粧料３を塗布することができるものである
【００４５】
そして、塗布容器本体２の開口部４からキャップ８を離脱させるにあたっては、次のようになるものである。即ち、シゴキ６”の孔部７を通して塗布容器本体２内に収容される塗布体１３を固持する固持軸１２の断面形状とシゴキ６”の孔部７”の形状とは略同一であっても、シゴキ６”はゴムであるので固持軸１２はシゴキ６”に対して周面方向に回転可能である。ところが、塗布容器本体２の開口部４の内周面に形成される係止保持部１６により、固持軸１２と塗布容器本体２の開口部４とは回転不能と一体となる。そこで、塗布容器本体２の開口部４に対して噛合するキャップ８を開方向へ回転させると、該キャップ８と固持軸１２との間に介在しているＯリング１５の摩擦力以上の負荷がかかることによって、キャップ８は固持軸１２の根元部１２ａに対して回転するものとなる。その結果、キャップ８の開口部９の雌ネジ部１１と塗布容器本体２の開口部４の雄ネジ部５との螺合は解け、キャップ８を塗布容器本体２の開口部４から離脱させることができる。
【００４６】
その上、上記キャップ８の塗布容器本体２の開口部４から離脱の際に、キャップ８が塗布容器本体２の開口部４に沿って上昇すると、固持軸１２の外周面に当接する係止保持部１６の孔部形状とシゴキ６”の孔部７”の形状との配置は一致し、シゴキ６”と一体となる固持軸１２はキャップ８内のネジ体１０に対して回転不能であるので、該固持軸１２及び塗布体１３は、その表面とシゴキ６”の孔部７との正確な密着が保たれたまま引き上げられる。従って、シゴキ６”によるマスカラ等の液体化粧料３の扱きは正確に行われるものとなる。
【００４７】
一方、キャップ８を塗布容器本体２の開口部４に装着する際には、次のようになるものである。即ち、塗布体１３を塗布容器本体２内に収容すると、固持軸１２の外周面に当接する係止保持部１６の孔部形状とシゴキ６”の孔部７”の形状との配置は一致しており、シゴキ６”の孔部７”は楕円形形状である固持軸１２及び塗布体１３の表面に沿って正確に密着する。そして、塗布容器本体２の開口部４の内周面に形成する係止保持部１６によって固持軸１２と塗布容器本体２の開口部４とは一体となり、固持軸１２は塗布容器本体２の開口部４に対して周面方向に回転不能となる。そこで、塗布容器本体２の開口部４に対して噛合するキャップ８を閉方向へ回転させると、キャップ８内に挿嵌されるネジ体１０と固持軸１２の根元部１２ａとの間にはＯリング１５が介在しているので、その摩擦力以上の負荷がかかることで、キャップ８は塗布容器本体２の開口部４に対して周面方向に回転することができる。その結果、キャップ８の開口部９の雌ネジ部１１と塗布容器本体２の開口部４の雄ネジ部５との螺合が可能となり、キャップ８を塗布容器本体２の開口部４に装着させることができる。
【産業上の利用可能性】
【００４８】
塗布容器本体に装着されるキャップに挿嵌保持される固持軸の先端に固持され、その断面形状が非円形形状である塗布体のみならず、該塗布体を先端に固持する固持軸をも確実に扱き、しかも液だれを防止できることによって、マスカラ等の液体化粧料のみならず、接着剤等の液体の塗布容器にも適用できる。
【符号の説明】
【００４９】
１、１’、１”    液体化粧料塗布容器
２    塗布容器本体
３    マスカラ等の液体化粧料
４    開口部
５    雄ネジ部
６、６ａ、６’、６”    シゴキ
７、７’、７”    孔部
８    キャップ
９    開口部
１０    ネジ体
１１    雌ネジ部
１２    固持軸
１２ａ    根元部
１２ｂ    嵌合溝
１３、１３ａ、１３ａ’、１３ａ”、１３ｂ、１３ｃ    塗布体
１４    パッキン
１５    Ｏリング
１６    係止保持部
１６ａ    三角板体
１６ｂ    斜面
【図１】
2011010662.tif 000003
【図２】
2011010662.tif 000004
【図３】
2011010662.tif 000005
【図４】
2011010662.tif 000006
【図５】
2011010662.tif 000007
【図６】
2011010662.tif 000008
【図７】
2011010662.tif 000009
【図８】
2011010662.tif 000010
【図９】
2011010662.tif 000011
【図１０】
2011010662.tif 000012
【図１１】
2011010662.tif 000013